【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
サーバと通信する第１端末に実行させるためのプログラムであって、
前記第１端末に関する第１情報、または前記第１端末のユーザに関する第１情報を前記サーバに前記第１端末の通信部によって送信することと、
前記第１情報の送信に基づき、前記サーバからコード情報を前記通信部によって受信することと、
前記コード情報を前記第１端末の表示部に表示することと、
前記第１端末とは異なる第２端末に関する第２情報、または前記第２端末のユーザに関する第２情報と、前記第１情報とに少なくとも基づく特典に関する情報を前記通信部によって受信することと、
前記特典に関する情報に基づく第１表示を前記表示部に表示することとが前記第１端末によって実行され、
前記第２情報は、前記第２端末による、前記表示部に表示された前記コード情報の読み取りに基づき、前記サーバに前記第２端末から送信される。
【請求項２】
請求項１に記載のプログラムであって、
前記第１端末のユーザが前記コード情報を利用可能な期間の情報、または利用可能な時刻の情報を前記通信部によって受信することが前記第１端末によって実行される。
【請求項３】
請求項１または請求項２に記載のプログラムであって、
前記コード情報は、第１コード情報であり、
前記第２端末は、前記第２端末による、前記表示部に表示された前記第１コード情報の読み取りに基づき、第２コード情報が前記サーバから送信される。
【請求項４】
請求項３に記載のプログラムであって、
前記第２コード情報は、前記第１コード情報と同じコード情報、または異なるコード情報である。
【請求項５】
請求項１から請求項４のいずれか一項に記載のプログラムであって、
前記特典に関する情報は、第１特典情報であり、
前記第１特典情報とは異なる第２特典情報は、前記第１端末とは異なる第３端末に関する第３情報、または前記第３端末のユーザに関する第３情報と関連付けられており、
前記第３情報は、前記第３端末による、前記表示部に表示された前記コード情報の読み取りに基づき、前記第１特典情報と関連付けられる。
【請求項６】
請求項５に記載のプログラムであって、
前記第２特典情報は、前記第１端末とは異なる第４端末に関する第４情報、または前記第４端末のユーザに関する第４情報と関連付けられており、
前記第４情報は、前記第３端末による、前記表示部に表示された前記コード情報の読み取りに基づき、前記第１特典情報と関連付けられる。
【請求項７】
請求項１から請求項６のいずれか一項に記載のプログラムであって、
前記コード情報は、第１コード情報であり、
前記第１情報は、前記第１端末によって第３コード情報を読み取ることに基づき、前記第１端末によって前記サーバに送信される。
【請求項８】
請求項７に記載のプログラムであって、
前記第３コード情報を読み取ることに基づき、前記第１情報と、前記第１端末の位置に関する情報とを前記通信部によって前記サーバに送信することと、
前記第１端末の位置に関する情報に基づく前記特典に関する情報を前記通信部によって受信することとが前記第１端末によって実行される。
【請求項９】
請求項８に記載のプログラムであって、
前記第１端末の位置に関する情報は、店舗に設置された電子装置から送信された情報に基づく情報を含む。
【請求項１０】
請求項８または請求項９に記載のプログラムであって、
前記第１端末の位置に関する情報は、前記第１端末によって選択された店舗に関する情報を含む。
【請求項１１】
請求項７から請求項１０のいずれか一項に記載のプログラムであって、
前記第３コード情報は、店舗の情報が関連付けられている。
【請求項１２】
請求項１に記載のプログラムであって、
前記特典に関する情報の取得に関する第２表示を前記表示部に表示することが前記第１端末によって実行され、
前記第１情報は、前記第２表示に対する入力に基づいて前記サーバに前記第１端末から送信される。
【請求項１３】
請求項１２に記載のプログラムであって、
前記通信部は、第１通信部と第２通信部とを有し、
前記第１情報は、前記第１通信部によって前記サーバに送信され、
前記特典に関する情報は、前記第１通信部によって受信され、
前記第２表示は、店舗に設置された電子装置から送信された情報を前記第２通信部によって受信することに基づいて、前記表示部に表示される。
【請求項１４】
請求項１２または請求項１３に記載のプログラムであって、
前記第２情報は、前記第２端末に表示された前記第２表示に対する入力に基づいて前記サーバに前記第２端末から送信される。
【請求項１５】
請求項１に記載のプログラムであって、
前記通信部は、第１通信部と第２通信部とを有し、
前記第１情報は、前記第１通信部によって前記サーバに送信され、
前記特典に関する情報は、前記第１通信部によって受信され、
前記第２情報を前記第２通信部によって受信することと、
前記第２通信部によって受信した前記第２情報を、前記サーバに前記第１通信部によって送信することとが前記第１端末によって実行される。
【請求項１６】
請求項１に記載のプログラムであって、
前記特典に関する情報は、第１特典情報であり、
前記表示部に前記第１特典情報とは異なる第２特典情報を表示することが前記第１端末によって実行され、
前記第１情報は、前記第２特典情報に対する入力に基づいて、前記第２特典情報に関連付けられる。
【請求項１７】
請求項１６に記載のプログラムであって、
前記第２情報は、前記第２特典情報に対する入力に基づいて、前記第２特典情報に関連付けられる。
【請求項１８】
請求項１から請求項１７のいずれか一項に記載のプログラムであって、
前記第１情報の送信に基づいて、前記特典に関する情報に、前記第１端末とは異なる第５端末に関する第５情報、または前記第５端末のユーザに関する第５情報が少なくとも関連付けられている場合、前記第５情報に関する情報を前記サーバから前記通信部によって受信することが前記第１端末によって実行される。
【請求項１９】
請求項１８に記載のプログラムであって、
前記特典に関する情報と、前記第５情報との関連付けを解除することに関する解除情報を前記通信部によって前記サーバに送信することが前記第１端末によって実行される。
【請求項２０】
請求項１８または請求項１９に記載のプログラムであって、
前記第１端末のユーザが、前記第５端末のユーザに対する登録を行っていない場合、前記特典に関する情報と、前記第５情報との関連付けを解除することに関する解除情報を前記表示部に表示することが前記第１端末によって実行される。
【請求項２１】
請求項１８から請求項２０のいずれか一項に記載のプログラムであって、
前記特典に関する情報は、設定された期間が経過した場合、または設定された時刻を経過した場合、前記第５情報との関連付けが解除される。
【請求項２２】
請求項１から請求項２１のいずれか一項に記載のプログラムであって、
前記表示部に表示された前記第１表示に対する入力に基づいて、前記特典に関する情報と、前記第１情報との関連付けは解除される。
【請求項２３】
請求項１から請求項２２のいずれか一項に記載のプログラムであって、
前記特典に関する情報は、関連付けられた情報の数に基づいて、変更される。
【請求項２４】
請求項１から請求項２２のいずれか一項に記載のプログラムであって、
前記特典に関する情報は、関連付けられた情報の数が設定された数以上、または設定された数よりも多い場合、前記表示部に表示された前記第１表示への入力に基づいて、前記第１端末のユーザと、前記第２端末のユーザとに少なくとも関連付けられる。
【請求項２５】
請求項２３または請求項２４に記載のプログラムであって、
前記第１表示は、前記特典が変更される条件を含む。
【請求項２６】
請求項１から請求項２５のいずれか一項に記載のプログラムであって、
前記第１表示は、前記第２端末のユーザに関する情報を含む。
【請求項２７】
請求項１から請求項２６のいずれか一項に記載のプログラムであって、
前記特典に関する情報は、前記表示部に表示された前記第１表示への入力に基づいて、前記第１端末のユーザと、前記第２端末のユーザとに少なくとも関連付けられる。
【請求項２８】
請求項１から請求項２７のいずれか一項に記載のプログラムであって、
前記表示部に表示された前記第１表示への入力に基づいて、前記特典が使用される。
【請求項２９】
請求項２８に記載のプログラムであって、
前記第２端末に表示された前記第１表示への入力がされた後に、前記表示部に表示された前記第１表示への入力がされた場合、前記特典が使用済みであることを示す情報を前記表示部に表示することが前記第１端末によって実行される。
【請求項３０】
サーバと通信する第１端末の情報処理方法であって、
前記第１端末に関する第１情報、または前記第１端末のユーザに関する第１情報を前記サーバに前記第１端末の通信部によって送信することと、
前記第１情報の送信に基づき、前記サーバからコード情報を前記通信部によって受信することと、
前記コード情報を前記第１端末の表示部に表示することと、
前記第１端末とは異なる第２端末に関する第２情報、または前記第２端末のユーザに関する第２情報と、前記第１情報とに少なくとも基づく特典に関する情報を前記通信部によって受信することと、
前記特典に関する情報に基づく第１表示を前記表示部に表示することとを含み、
前記第２情報は、前記第２端末による、前記表示部に表示された前記コード情報の読み取りに基づき、前記サーバに前記第２端末から送信される。
【請求項３１】
サーバと通信する端末であって、
前記端末に関する第１情報、または前記端末のユーザに関する第１情報を前記サーバに送信し、前記第１情報の送信に基づき、前記サーバからコード情報を受信し、前記端末とは異なる第１端末に関する第２情報、または前記第１端末のユーザに関する第２情報と、前記第１情報とに少なくとも基づく特典に関する情報を受信する通信部と、
前記コード情報を表示し、前記特典に関する情報に基づく第１表示を表示する表示部とを備え、
前記第２情報は、前記第１端末による、前記表示部に表示された前記コード情報の読み取りに基づき、前記サーバに前記第１端末から送信される。
【請求項３２】
サーバと通信する端末であって、
メモリに記憶されたプログラムを読み出し、前記プログラムに基づく処理を実行するプロセッサーを備え、
前記プロセッサーは、
前記端末に関する第１情報、または前記端末のユーザに関する第１情報を前記サーバに前記端末の通信部によって送信することと、
前記第１情報の送信に基づき、前記サーバからコード情報を前記通信部によって受信することと、
前記コード情報を前記端末の表示部に表示することと、
前記端末とは異なる第１端末に関する第２情報、または前記第１端末のユーザに関する第２情報と、前記第１情報とに少なくとも基づく特典に関する情報を前記通信部によって受信することと、
前記特典に関する情報に基づく第１表示を前記表示部に表示することとを実行し、
前記第２情報は、前記第１端末による、前記表示部に表示された前記コード情報の読み取りに基づき、前記サーバに前記第１端末から送信される。
【請求項３３】
第１端末、および前記第１端末とは異なる第２端末と通信するサーバに実行させるためのプログラムであって、
前記第１端末に関する第１情報、または前記第１端末のユーザに関する第１情報を前記第１端末から前記サーバの通信部によって受信することと、
前記第１情報の受信に基づき、コード情報を前記第１端末に前記通信部によって送信することと、
前記第１端末の表示部に表示される前記コード情報を前記第２端末が読み取ることに基づき送信される、前記第２端末に関する第２情報、または前記第２端末のユーザに関する第２情報を前記第２端末から前記通信部によって受信することと、
前記第１情報と前記第２情報とに少なくとも基づく特典に関する情報を、前記第１端末と前記第２端末との少なくとも一つの端末に前記通信部によって送信することとが前記サーバによって実行される。
【手続補正２】
【補正対象書類名】明細書
【補正対象項目名】０００４
【補正方法】変更
【補正の内容】
【０００４】
本発明の第１の態様によると、サーバと通信する第１端末に実行させるためのプログラムは、第１端末に関する第１情報、または第１端末のユーザに関する第１情報をサーバに第１端末の通信部によって送信することと、第１情報の送信に基づき、サーバからコード情報を通信部によって受信することと、コード情報を第１端末の表示部に表示することと、第１端末とは異なる第２端末に関する第２情報、または第２端末のユーザに関する第２情報と、第１情報とに少なくとも基づく特典に関する情報を通信部によって受信することと、特典に関する情報に基づく第１表示を表示部に表示することとが第１端末によって実行され、第２情報は、第２端末による、表示部に表示されたコード情報の読み取りに基づき、サーバに第２端末から送信される。
本発明の第２の態様によると、サーバと通信する第１端末の情報処理方法は、第１端末に関する第１情報、または第１端末のユーザに関する第１情報をサーバに第１端末の通信部によって送信することと、第１情報の送信に基づき、サーバからコード情報を通信部によって受信することと、コード情報を第１端末の表示部に表示することと、第１端末とは異なる第２端末に関する第２情報、または第２端末のユーザに関する第２情報と、第１情報とに少なくとも基づく特典に関する情報を通信部によって受信することと、特典に関する情報に基づく第１表示を表示部に表示することとを含み、第２情報は、第２端末による、表示部に表示されたコード情報の読み取りに基づき、サーバに第２端末から送信される。
本発明の第３の態様によると、サーバと通信する端末は、端末に関する第１情報、または端末のユーザに関する第１情報をサーバに送信し、第１情報の送信に基づき、サーバからコード情報を受信し、端末とは異なる第１端末に関する第２情報、または第１端末のユーザに関する第２情報と、第１情報とに少なくとも基づく特典に関する情報を受信する通信部と、コード情報を表示し、特典に関する情報に基づく第１表示を表示する表示部とを備え、第２情報は、第１端末による、表示部に表示されたコード情報の読み取りに基づき、サーバに第１端末から送信される。
本発明の第４の態様によると、サーバと通信する端末は、メモリに記憶されたプログラムを読み出し、プログラムに基づく処理を実行するプロセッサーを備え、プロセッサーは、端末に関する第１情報、または端末のユーザに関する第１情報をサーバに端末の通信部によって送信することと、第１情報の送信に基づき、サーバからコード情報を通信部によって受信することと、コード情報を端末の表示部に表示することと、端末とは異なる第１端末に関する第２情報、または第１端末のユーザに関する第２情報と、第１情報とに少なくとも基づく特典に関する情報を通信部によって受信することと、特典に関する情報に基づく第１表示を表示部に表示することとを実行し、第２情報は、第１端末による、表示部に表示されたコード情報の読み取りに基づき、サーバに第１端末から送信される。
本発明の第５の態様によると、第１端末、および第１端末とは異なる第２端末と通信するサーバに実行させるためのプログラムは、第１端末に関する第１情報、または第１端末のユーザに関する第１情報を第１端末からサーバの通信部によって受信することと、第１情報の受信に基づき、コード情報を第１端末に通信部によって送信することと、第１端末の表示部に表示されるコード情報を第２端末が読み取ることに基づき送信される、第２端末に関する第２情報、または第２端末のユーザに関する第２情報を第２端末から通信部によって受信することと、第１情報と第２情報とに少なくとも基づく特典に関する情報を、第１端末と第２端末との少なくとも一つの端末に通信部によって送信することとがサーバによって実行される。